(57)【要約】【課題】容易に持ち運びおよび保管できるとともに、容易に設置および片付けることができる段ボール製のベッドを提供する。【解決手段】段ボール製のベッドであって、ベッドフレーム１０およびケース５０を有している。ケース５０の第一ケース部材６０と第二ケース部材７０とが連結および分離可能である。ベッドフレーム１０は、左右一対の支持板１５，１５と、両支持板１５，１５の上縁部に載置された床板１４と、を備えている。両支持板１５，１５および床板１４の前縁部は、第一ケース部材６０に連結されるとともに、両支持板１５，１５および床板１４の後縁部は、第二ケース部材７０に連結されている。両支持板１５，１５および床板１４を折り畳んだ状態でケース５０内に収納可能である。【選択図】図１
2020188877.tif 000002
【特許請求の範囲】
【請求項１】
ベッドフレームおよびケースを有するベッドであって、
前記ケースは、
後面が開口した第一ケース部材と、
前面が開口した第二ケース部材と、を備え、
前記第一ケース部材と前記第二ケース部材とは前後方向に連結および分離可能であり、
前記ベッドフレームは、
左右一対の支持板と、
前記両支持板の上縁部に載置された床板と、を備え、
前記両支持板および前記床板の前縁部は、前記第一ケース部材に連結されるとともに、
前記両支持板および前記床板の後縁部は、前記第二ケース部材に連結されており、
前記両支持板および前記床板は、前後方向の中間部に設けた罫線において折り曲げ可能であり、
前記両支持板および前記床板を折り畳んだ状態で、前記ケース内に収納可能であることを特徴とするベッド。
【請求項２】
請求項１に記載のベッドであって、
前記ベッドフレームは、
前側板および後側板を備え、
前記両支持板および前記床板の前縁部は、前記前側板の後面に連結されるとともに、
前記両支持板および前記床板の後縁部は、前記後側板の前面に連結されており、
前記前側板が前記第一ケース部材に嵌め込まれているとともに、
前記後側板が前記第二ケース部材に嵌め込まれていることを特徴とするベッド。
【請求項３】
請求項１または請求項２に記載のベッドであって、
前記床板を平坦に展開させた状態において、
前記支持板は、他の前記支持板側に向けて突出するように屈曲していることを特徴とするベッド。
【請求項４】
請求項１から請求項３のいずれか一項に記載のベッドであって、
前記ケースの上面に持ち手が設けられていることを特徴とするベッド。
【発明の詳細な説明】
【技術分野】
【０００１】
本発明は、折り畳み可能なベッドに関する。
【背景技術】
【０００２】
段ボール製のベッドとしては、複数の箱体を並べて配置し、各箱体の上面に一枚の床板を載せているものがある（例えば、特許文献１参照）。
【先行技術文献】
【特許文献】
【０００３】
【特許文献１】特開２０１８−１１０７６３号公報
【発明の概要】
【発明が解決しようとする課題】
【０００４】
前記した従来のベッドでは、複数の箱体および大きな床板を持ち運ぶのが難しいとともに、箱体や床板の保管スペースを確保するのが難しいという問題がある。
また、箱体をシートの状態で保管している場合には、使用時に粘着テープを用いて箱体を組み立てる必要があるため、ベッドを設置する作業が煩雑になるという問題がある。
【０００５】
本発明は、前記した問題を解決し、容易に持ち運びおよび保管できるとともに、容易に設置および片付けることができるベッドを提供することを課題とする。
【課題を解決するための手段】
【０００６】
前記課題を解決するため、本発明は、ベッドフレームおよびケースを有するベッドであって、ベッドフレームおよびケースを有している。前記ケースは、後面が開口した第一ケース部材と、前面が開口した第二ケース部材と、を備え、前記第一ケース部材と前記第二ケース部材とは前後方向に連結および分離可能である。前記ベッドフレームは、左右一対の支持板と、前記両支持板の上縁部に載置された床板と、を備えている。前記両支持板および前記床板の前縁部は、前記第一ケース部材に連結されるとともに、前記両支持板および前記床板の後縁部は、前記第二ケース部材に連結されている。前記両支持板および前記床板は、前後方向の中間部に設けた罫線において折り曲げ可能であり、前記両支持板および前記床板を折り畳んだ状態で、前記ケース内に収納可能である。
【０００７】
本発明のベッドは、ベッドフレームを折り畳んでケース内に収納することで、コンパクトになるため、容易に持ち運べるとともに、保管スペースを確保し易くなる。
【０００８】
本発明のベッドでは、ベッドフレームをケース内に収納した状態から、第一ケース部材および第二ケース部材を分離させることで、ベッドフレームを展開できるため、ベッドを容易かつ速やかに設置できる。
【０００９】
本発明のベッドでは、ベッドフレームを展開した状態から、第一ケース部材および第二ケース部材を近付けると、ベッドフレームが折り畳まれてケース内に収納されるため、ベッドを容易かつ速やかに片付けることができる。
【００１０】
前記したベッドにおいて、前記ベッドフレームに前側板および後側板を設けた場合には、前記両支持板および前記床板の前縁部を前記前側板の後面に連結するとともに、前記両支持板および前記床板の後縁部を前記後側板の前面に連結する。さらに、前記前側板を前記第一ケース部材に嵌め込むとともに、前記後側板を前記第二ケース部材に嵌め込む。
このように、両支持板および床板の前後の縁部に、前側板および後側板をそれぞれ連結した場合には、ベッドフレームを安定させることができる。
【００１１】
前記したベッドにおいて、前記床板を平坦に展開させたときに、前記支持板が他の前記支持板側に向けて突出するように屈曲していることが好ましい。
この構成では、屈曲した支持板によって床板が支持されるため、ベッドフレームの耐荷重を高めることができる。
【００１２】
前記したベッドでは、前記ケースの上面に持ち手を設けて持ち運び易くすることが好ましい。
【発明の効果】
【００１３】
本発明のベッドでは、ケース内にベッドフレームを収納できるため、容易に持ち運べるとともに、保管スペースを確保し易くなる。また、本発明のベッドでは、ケースを開閉することで、ベッドフレームを展開したり折り畳んだりできるため、容易かつ速やかに設置および片付けることができる。
【図面の簡単な説明】
【００１４】
【図１】本発明の実施形態に係るベッドを前方左上から見た斜視図である。
【図２】本発明の実施形態に係る第一ケース部材のブランクシートを示した図である。
【図３】本発明の実施形態に係る第一ケース部材および第二ケース部材を分離させた状態を前方左上から見た斜視図である。
【図４】本発明の実施形態に係る第一ケース部材および第二ケース部材を連結させた状態を前方左上から見た斜視図である。
【図５】本発明の実施形態に係るベッドフレームを前方左上から見た斜視図である。
【図６】本発明の実施形態に係るベッドフレームを示した平面図である。
【図７】本発明の実施形態に係るベッドにおいて、ベッドフレームをケースに収納した状態の側断面図である。
【図８】本発明の実施形態に係るベッドにおいて、ベッドフレームを展開させる態様を前方左上から見た斜視図である。
【発明を実施するための形態】
【００１５】
本発明の実施形態について、適宜図面を参照しながら詳細に説明する。
以下の説明において、前後左右方向とは、本実施形態のベッドを説明する上で便宜上設定したものであり、ベッドの構成や使用形態を限定するものではない。
【００１６】
本実施形態のベッド１は、図１に示すように、ベッドフレーム１０およびケース５０を備えている。ベッドフレーム１０およびケース５０は段ボール製である。
【００１７】
ケース５０は、図３に示すように、後面が開口した第一ケース部材６０と、前面が開口した第二ケース部材７０と、を備えている。ケース５０は、図４に示すように、第一ケース部材６０と第二ケース部材７０とを連結することで、直方体の箱体となる。
【００１８】
第一ケース部材６０は、端板６１と、端板６１の周縁部に連設された周壁部６２と、周壁部６２の上面に設けられた持ち手６３と、を備えている。
第一ケース部材６０は、図２に示すように、一枚の段ボール製のシートを切り抜いたブランクシートＳを各罫線において山折りまたは谷折りすることで形成される。図２に示すブランクシートＳは内面側が見えるように配置されている。
ブランクシートＳの各罫線（折線）は、ブランクシートＳの表面を押し込んで形成された線状の溝である。なお、罫線に切れ込みを断続的に形成してもよい。このようにすると、罫線においてブランクシートＳを折り曲げ易くなる。
【００１９】
端板６１は、図３に示すように、四角形の平板である。端板６１の上縁部には、罫線を介して上板６２ａが連設されている。また、端板６１の下縁部には、罫線を介して下板６２ｂが連設されている。
【００２０】
端板６１の左縁部には、罫線を介して左板６２ｃが連設されている。左板６２ｃは、先端側を内側に折り返した二重壁となっている。
左板６２ｃには、上板６２ａの左縁部に連設されたフラップと、下板６２ｂの左縁部に連設されたフラップと、が挟み込まれている。
また、左板６２ｃの上下方向の中央部には、連結板６２ｅが挟み込まれている。連結板６２ｅの先端部は、左板６２ｃの折り曲げ部の中央部に形成された開口部６２ｆから後方に向けて突出している。
【００２１】
端板６１の右縁部には、罫線を介して右板６２ｄが連設されている。右板６２ｄは、先端側を内側に折り返した二重壁となっている。
右板６２ｄの折り曲げ部の中央部には、係止片６２ｇが後方に向けて突出するとともに、差し込み穴６２ｈ（図２参照）が開口している。
【００２２】
上板６２ａ、下板６２ｂ、左板６２ｃおよび右板６２ｄによって周壁部６２が形成されている。周壁部６２は、四角形の枠状に形成されており、端板６１の周縁部から後方に向けて突出している。周壁部６２は端板６１に対して垂直に形成されている。第一ケース部材６０は、前面が端板６１によって塞がれており、後面が開口している。
【００２３】
周壁部６２の上板６２ａの上面には、持ち手６３が設けられている。持ち手６３は、上板６２ａの後縁部の中央部に罫線を介して連設されている。持ち手６３は、上板６２ａの上面に対して垂直に立ち上げられている。
持ち手６３は、使用者がケース５０を持つときに手を掛けるための部位である。持ち手６３の下部の中央部には、指を差し込むための開口部が形成されている。
【００２４】
第二ケース部材７０は、端板７１と、端板７１の周縁部に連設された周壁部７２と、周壁部７２の上面に設けられた持ち手７３と、を備えている。
第二ケース部材７０は、第一ケース部材６０の前後の向きを反転させた形状である。第二ケース部材７０の周壁部７２は、四角形の枠状に形成されており、端板７１の周縁部から前方に向けて突出している。第二ケース部材７０は、前面が端板７１によって塞がれており、後面が開口している。
【００２５】
第二ケース部材７０の左板７２ｃの折り曲げ部の中央部には、係止片７２ｇが突出するとともに、差し込み穴７２ｈが開口している。第二ケース部材７０の右板７２ｄの折り曲げ部の中央部に形成された開口部７２ｆから連結板７２ｅの先端部が突出している。第二ケース部材７０の上板７２ａの前縁部には、持ち手７３が立ち上げられている。
【００２６】
図４に示すように、第一ケース部材６０の周壁部６２の後縁部と、第二ケース部材７０の周壁部７２の前縁部とを突き合わせることで、箱状のケース５０となる。このとき、第一ケース部材６０の持ち手６３と、第二ケース部材７０の持ち手７３とは前後に重ね合わされる。
【００２７】
第一ケース部材６０と第二ケース部材７０とを突き合わせると、図３に示す第一ケース部材６０の連結板６２ｅの先端部が、第二ケース部材７０の差し込み穴７２ｈに差し込まれる。また、第二ケース部材７０の連結板７２ｅの先端部が、第一ケース部材６０の右板６２ｄの差し込み穴６２ｈに差し込まれる。
そして、第一ケース部材６０の連結板６２ｅに第二ケース部材７０の係止片７２ｇを係止させる。また、第二ケース部材７０の連結板７２ｅに第一ケース部材６０の係止片６２ｇを係止させる。これにより、第一ケース部材６０と第二ケース部材７０とを連結した状態に固定できる（図４参照）。
【００２８】
また、第一ケース部材６０の連結板６２ｅから第二ケース部材７０の係止片７２ｇを外すとともに、第二ケース部材７０の連結板７２ｅから第一ケース部材６０の係止片６２ｇを外すことで、第一ケース部材６０と第二ケース部材７０とを分離できる。
【００２９】
ベッドフレーム１０は、図５に示すように、前後方向に間隔を空けて配置される前側板１１および後側板１２と、前側板１１と後側板１２との間に配置された中間板１３と、左右一対の支持板１５，１５と、両支持板１５，１５の上縁部に載置された床板１４と、を備えている。
【００３０】
前側板１１および後側板１２は、四角形の平板である。前側板１１および後側板１２は同じ大きさである。前側板１１の後面と後側板１２の前面とが対向している。前側板１１と後側板１２とは平行して配置されている。
前側板１１は、図１に示すように、第一ケース部材６０の周壁部６２に嵌め込むことができるように形成されている。後側板１２は、第二ケース部材７０の周壁部７２に嵌め込むことができるように形成されている。
【００３１】
中間板１３は、図５に示すように、四角形の平板である。中間板１３の前面は前側板１１の後面に対向し、中間板１３の後面は後側板１２の前面に対向している。前側板１１、中間板１３および後側板１２は平行して配置されている。中間板１３の高さは、前側板１１および後側板１２の略半分の高さに設定されている。
【００３２】
左側の支持板１５は、前側の屈曲板１５ａおよび後側の屈曲板１５ｂによって構成されている。両屈曲板１５ａ，１５ｂは、前後方向に延びている長方形の平板を屈曲させたものである。
【００３３】
前側の屈曲板１５ａの前縁部には、図６に示すように、罫線を介して接合片１６が連設されており、この接合片１６は、内側に向けて折り曲げられた状態で、前側板１１の後面に貼り付けられている。
前側の屈曲板１５ａの後縁部には、罫線を介して接合片１６が連設されており、この接合片１６は、内側に向けて折り曲げられた状態で、中間板１３の前面に貼り付けられている。
【００３４】
前側の屈曲板１５ａの前後方向の中央部（支持板１５の前後方向の中間部）には、図５に示すように、上下方向に延びている罫線Ｌ１が、屈曲板１５ａの上縁部から下縁部に亘って形成されている。罫線Ｌ１は、屈曲板１５ａの外面に形成されており、屈曲板１５ａの上縁部および下縁部に対して垂直に形成されている。
【００３５】
前側の屈曲板１５ａは、罫線Ｌ１において前後方向に折り曲げ可能である。また、前側の屈曲板１５ａの前半分は、前側板１１に対して傾動可能であるとともに、後半分は中間板１３に対して傾動可能である。
前側の屈曲板１５ａは、前側板１１と中間板１３との間で折り畳み可能である（図８参照）。折り畳まれた前側の屈曲板１５ａは、前側板１１および中間板１３の左縁部よりも内側（右側）に入り込んでいる。
【００３６】
後側の屈曲板１５ｂの前縁部には、図６に示すように、罫線を介して接合片１６が連設されており、この接合片１６は、内側に向けて折り曲げられた状態で、中間板１３の後面に貼り付けられている。
後側の屈曲板１５ｂの後縁部には、罫線を介して接合片１６が連設されており、この接合片１６は、内側に向けて折り曲げられた状態で、後側板１２の前面に貼り付けられている。
【００３７】
後側の屈曲板１５ｂの前後方向の中央部（支持板１５の前後方向の中間部）には、図５に示すように、前側の屈曲板１５ａと同様に罫線Ｌ１が形成されている。後側の屈曲板１５ｂは、罫線Ｌ１において前後方向に折り曲げ可能である。後側の屈曲板１５ｂは、中間板１３と後側板１２との間で折り畳み可能である（図８参照）。折り畳まれた後側の屈曲板１５ｂは、中間板１３および後側板１２の右縁部よりも内側（左側）に入り込んでいる。
【００３８】
本実施形態では、図６に示すように、ベッドフレーム１０を展開させた状態において、両支持板１５，１５の各屈曲板１５ａ，１５ｂは各罫線Ｌ１において屈曲しており、各屈曲板１５ａ，１５ｂの前後方向の中央部が両端部よりも内側に入り込んでいる。
【００３９】
右側の支持板１５は、左側の支持板１５と左右対称な構成である。右側の支持板１５の前側の屈曲板１５ａは、前側板１１と中間板１３との間で折り畳み可能であり、後側の屈曲板１５ｂは、中間板１３と後側板１２との間で折り畳み可能である（図８参照）。
【００４０】
床板１４は、前後方向に延びている長方形の平板であり、前床板１４ａと後床板１４ｂとによって構成されている。
床板１４は、左右の支持板１５，１５の上縁部に載置されている。床板１４は、マットレスなどの寝具を支持するための平板である。
【００４１】
前床板１４ａの前縁部には、図６に示すように、罫線を介して接合片１７が連設されており、この接合片１７は、下側に向けて折り曲げられた状態で、前側板１１の後面に貼り付けられている。
前床板１４ａの後縁部には、罫線を介して接合片１７が連設されており、この接合片１７は、下側に向けて折り曲げられた状態で、中間板１３の前面に貼り付けられている。
【００４２】
前床板１４ａの前後方向の中央部（床板１４の前後方向の中間部）には、左右方向に延びている罫線Ｌ２が左右の縁部に亘って形成されている。罫線Ｌ２は、前床板１４ａの内面に形成されており、前床板１４ａの左右の縁部に対して垂直に形成されている。なお、各図では、罫線Ｌ２の位置を分かり易くするために、前床板１４ａの内面に形成された罫線Ｌ２を実線で示している。
【００４３】
前床板１４ａは、罫線Ｌ２において前後方向に折り曲げ可能である。また、前床板１４ａの前半分は、前側板１１に対して傾動可能であるとともに、後半分は中間板１３に対して傾動可能である。
前床板１４ａは、前側板１１と中間板１３との間で折り畳み可能である（図８参照）。折り畳まれた前床板１４ａは、両支持板１５，１５の上縁部よりも上方に配置され、前側板１１の上縁部よりも低くなっている。
【００４４】
後床板１４ｂの前縁部には、罫線を介して接合片１７が連設されており、この接合片１７は、下側に向けて折り曲げられた状態で、中間板１３の後面に貼り付けられている。
後床板１４ｂの後縁部には、罫線を介して接合片１７が連設されており、この接合片１７は、下側に向けて折り曲げられた状態で、後側板１２の前面に貼り付けられている。
【００４５】
後床板１４ｂの前後方向の中央部（床板１４の前後方向の中間部）には、前床板１４ａと同様に罫線Ｌ２が形成されている。後床板１４ｂは、罫線Ｌ２において前後方向に折り曲げ可能である。後床板１４ｂは中間板１３と後側板１２との間で折り畳み可能である（図８参照）。
【００４６】
ベッドフレーム１０の前側板１１は、図１に示すように、第一ケース部材６０の周壁部６２に嵌め込まれている。前側板１１の前面は端板６１の後面に接着剤によって接合されている。これにより、左右の支持板１５，１５の前縁部および床板１４の前縁部は、前側板１１を介して第一ケース部材６０に連結されている。
【００４７】
ベッドフレーム１０の後側板１２は、第二ケース部材７０の周壁部７２に嵌め込まれている。後側板１２の後面は端板７１の前面に接着剤によって接合されている。これにより、左右の支持板１５，１５の後縁部および床板１４の後縁部は、後側板１２を介して第二ケース部材７０に連結されている。
【００４８】
以上のような本実施形態のベッド１では、図７に示すように、ベッドフレーム１０を前後方向に折り畳むと、ケース５０内に収納可能な大きさになる。そして、ベッドフレーム１０をケース５０内に収納することで、ベッド１がコンパクトになるため、ベッド１を容易に持ち運べるとともに、保管スペースを確保し易くなる。
また、本実施形態のベッド１では、ケース５０の上面に持ち手６３，７３が設けられているため（図４参照）、使用者が持ち手６３，７３に手を掛けて、ベッド１を持ち運び易くなっている。
【００４９】
本実施形態のベッド１では、ベッドフレーム１０をケース５０内に収納した状態から使用時には、図８に示すように、第一ケース部材６０および第二ケース部材７０を前後方向に分離させる。これにより、ベッドフレーム１０の前側板１１および後側板１２が第一ケース部材６０および第二ケース部材７０と共に前後方向に離間する。そして、ベッドフレーム１０の左右の支持板１５，１５および床板１４が折り畳まれた状態から展開する（図１参照）。
【００５０】
このように、本実施形態のベッド１では、ケース５０を開くことで、ベッド１を容易かつ速やかに設置できる。つまり、ベッド１を設置するときに、カッターによる切断作業や粘着テープによる接合作業が不要となるため、組立用の用具を準備しておく必要がない。
【００５１】
本実施形態のベッド１のベッドフレーム１０では、図１に示すように、左右の支持板１５，１５および床板１４の前後の縁部に、前側板１１および後側板１２がそれぞれ連結されている。また、前側板１１および後側板１２は、第一ケース部材６０および第二ケース部材７０にそれぞれ支持されている。
また、本実施形態のベッド１では、ベッドフレーム１０を展開させたときに、左右の支持板１５，１５が屈曲している。このように、屈曲した両支持板１５，１５によって床板１４が支持されているため、ベッドフレーム１０の耐荷重を高めることができる。
したがって、本実施形態のベッド１では、ベッドフレーム１０を展開させたときに、ベッドフレーム１０を安定させることができる。
【００５２】
本実施形態のベッド１では、図１に示すように、ベッドフレーム１０を展開した状態から、第一ケース部材６０および第二ケース部材７０を近付けることで、図７に示すように、ベッドフレーム１０を折り畳んでケース５０内に収納できる。したがって、ベッド１を容易かつ速やかに片付けることができる。
【００５３】
本実施形態のベッド１は、図７に示すように、ベッドフレーム１０を折り畳んでケース５０内に収容することでコンパクトになるため、災害時の備えとして保管スペースを確保し易い。そして、災害時には避難所などにベッド１を容易に持ち運ぶことができ、ベッド１を容易かつ速やかに設置できる。また、昼間はベッドフレーム１０を折り畳んでケース５０内に収容することで、ベッド１を容易かつ速やかに片付けることができるため、避難スペースを有効に利用できる。
【００５４】
以上、本発明の実施形態について説明したが、本発明は前記実施形態に限定されることなく、その趣旨を逸脱しない範囲で適宜に変更が可能である。
本実施形態のベッド１では、図１に示すように、支持板１５が前後の屈曲板１５ａ，１５ｂから形成され、床板１４が前床板１４ａおよび後床板１４ｂから形成されているが、支持板１５および床板１４をそれぞれ一枚のシートによって形成してもよい。または、支持板１５および床板１４をそれぞれ三枚以上のシートによって形成してもよい。
【００５５】
また、支持板１５および床板１４に形成する折り曲げ箇所（罫線）の数や位置は限定されるものではなく、ベッドフレーム１０をコンパクトに折り畳めるように、ベッドフレーム１０の前後方向の中間部に適宜に設けられる。
【００５６】
本実施形態のベッド１では、ベッドフレーム１０の前側板１１が第一ケース部材６０の端板６１に接合され、後側板１２が第二ケース部材７０の端板７１に接合されているが、ベッドフレーム１０をケース５０に接合しなくてもよい。この場合には、ベッドフレーム１０を独立して使用することもできる。
【００５７】
本実施形態のベッド１は段ボール製であるが、各種公知の板紙によってベッドを形成してもよい。
【符号の説明】
【００５８】
１      ベッド
１０    ベッドフレーム
１１    前側板
１２    後側板
１３    中間板
１４    床板
１４ａ  前床板
１４ｂ  後床板
１５    支持板
１５ａ  前側の屈曲板
１５ｂ  後側の屈曲板
５０    ケース
６０    第一ケース部材
６１    端板
６２    周壁部
６２ｅ  連結板
６２ｇ  係止片
６３    持ち手
７０    第二ケース部材
７１    端板
７２    周壁部
７２ｅ  連結板
７２ｇ  係止片
７３    持ち手
Ｓ      ブランクシート
【図１】
2020188877.tif 000003
【図２】
2020188877.tif 000004
【図３】
2020188877.tif 000005
【図４】
2020188877.tif 000006
【図５】
2020188877.tif 000007
【図６】
2020188877.tif 000008
【図７】
2020188877.tif 000009
【図８】
2020188877.tif 000010